(57)【要約】【課題】本発明は、屈曲部を有する流路を流れる液の流れが滞ることを抑制する整流器の取付構造を提供する。【解決手段】整流器の取付構造８０は、油圧回路１０と、整流器３０とを備える。油圧回路１０は、整流器３０を収容するハウジング４０と、ハウジング４０より上流に位置する上流部分１２とを有する。整流器３０は、筒状であって周壁部３６を作動油Ｌが通過可能である。整流器３０は、ハウジング４０に収容されて周壁部３６が上流部分１２とハウジング４０とを連通する流入口５０に対向する位置に配置される。【選択図】図２
2011220363.tif 000002
【特許請求の範囲】
【請求項１】
第１の流路部と、前記第１の流路部の下流に位置して前記第１の流路部に連続するとともに前記第１の流路部と交差する方向に延びる第２の流路部とを備えて内部を液が流れる流路と、
筒状であって周壁部を前記液が通過可能である整流器と
を具備し、
前記整流器は、前記第２の流路部内に収容されて前記周壁部が前記第１の流路部と前記第２の流路部とを連通する連通口に対向する位置に配置される
ことを特徴とする整流器の取付構造。
【請求項２】
液を濾過するフィルタエレメントと、
前記フィルタエレメントを収容するハウジングと、
前記ハウジング内に設けられて前記液が流れる流路であって、第１の流路部と、前記第１の流路部の下流に位置して前記第１の流路部に連続するとともに前記第１の流路部と交差する方向に延びる第２の流路部とを備える流路と、
前記ハウジング内に設けられて前記液の流れを整流する整流器と
を具備し、
前記整流器は、筒状であって周壁部を前記液が通過可能であり、かつ、前記第２の流路部内に収容されて前記周壁部が前記第１の流路部と前記第２の流路部とを連通する連通口に対向する位置に配置される
ことを特徴とするフィルタ装置。
【請求項３】
前記ハウジングは、
内部に前記フィルタエレメントを収容するハウジング本体と、
前記ハウジング本体に取り付けられて前記フィルタエレメントで濾過された前記液を外部へ出す出口が設けられるヘッドと
を具備し、
前記流路は、前記ヘッド内に設けられ、
前記第１の流路部は、前記ヘッド内に設けられるとともに前記フィルタエレメントで濾過された前記液を前記ヘッド内に導き、
前記第２の流路部は、前記ヘッド内に設けられるとともに前記第１の流路と前記出口とを連通する
ことを特徴とする請求項２に記載のフィルタ装置。
【請求項４】
前記ハウジングは、
内部に前記フィルタエレメントを収容するハウジング本体と、
前記ハウジング本体に取り付けられて濾過される前の前記液が流入する入口が設けられるヘッドと
を具備し、
前記流路は、前記ヘッド内に設けられ、
前記第１の流路部は、前記ヘッド内に設けられるとともに前記入口と連通し、
前記第２の流路部は、前記ヘッド内に設けられるとともに濾過される前の前記液を前記フィルタエレメントに導く
ことを特徴とする請求項２に記載のフィルタ装置。
【請求項５】
前記周壁部は、断面形状がプリーツ状である
ことを特徴とする請求項１に記載の整流器の取付構造。
【請求項６】
前記周壁部は、断面形状がプリーツ状である
ことを特徴とする請求項２〜４のうちのいずれか１項に記載のフィルタ装置。
【発明の詳細な説明】
【技術分野】
【０００１】
本発明は、例えば油圧回路に設けられる整流器の取付構造に関する。また、本発明は、油圧回路に設けられるフィルタ装置に関する。
【背景技術】
【０００２】
従来、例えば重機内に設けられる油圧回路は、当該油圧回路を流れる作動油を濾過するためにフィルタ装置を備えている。フィルタ装置は、ハウジングと、ハウジング内に収容されるフィルタエレメントとを備えている。作動油がフィルタエレメントを通過することによって、作動油中の小さなゴミがフィルタエレメントによって捕集される。このことによって、作動油が濾過される。
【０００３】
フィルタエレメントは、濾材を筒状にすることによって形成されるエレメント本体と、当該エレメント本体の両端を支持するプレート部材となどを備えている。ハウジングは、筒状のフィルタエレメントを収容するために、筒状に形成されている。ハウジング内に導かれた作動油は、フィルタエレメントを外側から内側へ向かって通過する。
【０００４】
また、ハウジング内には、油圧回路においてフィルタ装置の下流部分とフィルタエレメントの内側とを連通する流路が設けられている。この流路は、油圧回路におけるフィルタ装置の姿勢によっては、略Ｌ字状に屈曲している（例えば、特許文献１参照。）。
【先行技術文献】
【特許文献】
【０００５】
【特許文献１】特開２００７−１３０６３１号公報
【発明の概要】
【発明が解決しようとする課題】
【０００６】
特許文献１のように、作動油が流れる流路がＬ字状のように屈曲していると、当該屈曲部において作動油の流れが滞るようになる。作動油の流れが滞ることは好ましくない。
【０００７】
本発明は、屈曲部を有する流路を流れる液の流れが滞ることを抑制する整流器の取付構造を提供することを目的とする。他の発明は、内部を流れる液の流れが滞ることを抑制できるフィルタ装置を提供することを目的とする。
【課題を解決するための手段】
【０００８】
請求項１に記載の発明の整流器の取付構造は、第１の流路部と、前記第１の流路部の下流に位置して前記第１の流路部に連続するとともに前記第１の流路部と交差する方向に延びる第２の流路部とを備えて内部を液が流れる流路と、筒状であって周壁部を前記液が通過可能である整流器とを備える。前記整流器は、前記第２の流路部内に収容されて前記周壁部が前記第１の流路部と前記第２の流路部とを連通する連通口に対向する位置に配置される。
【０００９】
請求項２に記載の発明のフィルタ装置は、液を濾過するフィルタエレメントと、前記フィルタエレメントを収容するハウジングと、前記ハウジング内に設けられて前記液が流れる流路であって、第１の流路部と、前記第１の流路部の下流に位置して前記第１の流路部に連続するとともに前記第１の流路部と交差する方向に延びる第２の流路部とを備える流路と、前記ハウジング内に設けられて前記液の流れを整流する整流器とを備える。前記整流器は、筒状であって周壁部を前記液が通過可能であり、かつ、前記第２の流路部内に収容されて前記周壁部が前記第１の流路部と前記第２の流路部とを連通する連通口に対向する位置に配置される。
【００１０】
請求項３に記載の発明のフィルタ装置は、請求項２に記載の発明のフィルタ装置において、前記ハウジングは、内部に前記フィルタエレメントを収容するハウジング本体と、前記ハウジング本体に取り付けられて前記フィルタエレメントで濾過された前記液を外部へ出す出口が設けられるヘッドとを備える。前記流路は、前記ヘッド内に設けられる。
【００１１】
前記第１の流路部は、前記ヘッド内に設けられるとともに前記フィルタエレメントで濾過された前記液を前記ヘッド内に導く。前記第２の流路部は、前記ヘッド内に設けられるとともに前記第１の流路と前記出口とを連通する。
【００１２】
請求項４に記載の発明のフィルタ装置は、請求項２に記載の発明のフィルタ装置において、前記ハウジングは、内部に前記フィルタエレメントを収容するハウジング本体と、前記ハウジング本体に取り付けられて濾過される前の前記液が流入する入口が設けられるヘッドとを備える。前記流路は、前記ヘッド内に設けられる。前記第１の流路部は、前記ヘッド内に設けられるとともに前記入口と連通する。前記第２の流路部は、前記ヘッド内に設けられるとともに濾過される前の前記液を前記フィルタエレメントに導く。
【００１３】
請求項５に記載の発明の整流器の取付構造は、請求項１に記載の発明の整流器の取付構造において、前記周壁部は、断面形状がプリーツ状である。
【００１４】
請求項６に記載の発明のフィルタ装置は、請求項２〜４に記載の発明のフィルタ装置において、前記周壁部は、断面形状がプリーツ状である。
【発明の効果】
【００１５】
本発明によれば、液の流れが滞ることが抑制される。
【図面の簡単な説明】
【００１６】
【図１】本発明の第１の実施形態に係る整流器の取付構造を備える油圧回路を示す概略図。
【図２】図１に示した油圧回路において整流器および整流器の近傍を拡大して示す断面図。
【図３】図２に示された整流器の近傍が分解された状態を示す断面図。
【図４】図２中に示されるＦ４−Ｆ４線に沿って示す、整流器を含む油圧回路の断面図。
【図５】本発明の第２の実施形態に係るフィルタ装置を示す断面図。
【図６】図５に示されたフィルタ装置が分解された状態を示す断面図。
【図７】図６に示されたヘッドから整流器が分解された状態を示す断面図。
【図８】図６中に示されるＦ８−Ｆ８線に沿って示すヘッドの断面図。
【図９】本発明の第３の実施形態に係るフィルタ装置を示す断面図。
【発明を実施するための形態】
【００１７】
本発明の第１の実施形態に係る整流器の取付構造を、図１〜４を用いて説明する。図１は、油圧回路１０を概略的に示す概略図である。油圧回路１０は、例えば重機に設けられている。油圧回路１０は、重機のアクチュエータ１１に連結されており、アクチュエータ１１を動作するために用いられている。なお、図中、油圧回路１０は、その一部が実線で示されており、他の部分は、２点鎖線で省略されている。油圧回路１０中には、作動油Ｌが流れている。作動油Ｌは、本発明で言う液の一例である。油圧回路１０は、本発明で言う流路の一例である。
【００１８】
油圧回路１０は、整流器３０を備えている。図１中、整流器３０が実線で描かれている。整流器３０は、油圧回路１０において、流れが略Ｌ字状に屈曲する部分に設けられている。図２は、油圧回路１０において整流器３０および整流器３０の近傍を拡大して示す断面図である。
【００１９】
図３は、整流器３０の近傍が分解された状態を示す断面図である。整流器３０は、本発明で言う整流器の一例である。図３に示すように、油圧回路１０の一部は、整流器３０を収容する、整流器用ハウジング４０として機能している。
【００２０】
図４は、図２中に示されるＦ４−Ｆ４線に沿って示す整流器３０を含む油圧回路１０の断面図である。図２〜４に示すように、整流器用ハウジング４０は、筒状のハウジング本体４１と、蓋部材４２とを備えている。ハウジング本体４１は、筒状であって、本実施形態では一例として円筒状であり、一端が開口している。ハウジング本体４１は、油圧回路１０においてＬ字状に屈曲している部位に設けられている。ハウジング本体４１は、油圧回路１０に連通しており、油圧回路１０の一部を構成している。ハウジング本体４１は、その軸心線Ｘが、油圧回路１０においてハウジング本体４１より上流の上流部分１２とＬ字状に交差するように配置されている。言い換えると、ハウジング本体４１は、油圧回路１０においてＬ字状に屈曲する部分の下流側に配置されている。
【００２１】
ハウジング本体４１の下流側の端部には、油圧回路１０において整流器３０の下流の部分と連通する流出口４４が形成されている。
【００２２】
蓋部材４２は、ハウジング本体４１の開口４５を開閉可能に塞ぐ。蓋部材４２は、ハウジング本体４１に、例えばボルト４６によって締結されて、開口４５を塞いだ状態が固定される。ハウジング本体４１の開口４５の縁部４７には、縁部４７と蓋部材４２との間を液密に塞ぐ構造が設けられている。この構造の一例として、シール部材が設けられている。シール部材の一例として、Ｏリング４８が設けられている。蓋部材４２が開口４５を塞いだ状態では、蓋部材４２と開口４５の縁部４７との間は、Ｏリング４８によって液密に閉塞される。このため、整流器用ハウジング４０から作動油Ｌが漏れることはない。
【００２３】
図４に示すように、整流器３０は、整流器本体３１と、内筒３２と、整流器用第１のプレート３３と、整流器用第２のプレート３４とを備えている。整流器本体３１は、筒状である。図４に示すように、本実施形態では、整流器本体３１は、板状のメッシュ部材をプリーツ状に折りたたんで円筒状に形成されている。
【００２４】
なお、整流器本体３１は、メッシュ部材から形成されることに限定されない。整流器本体３１は、作動油Ｌが通過することが可能な材料で形成されればよい。網目状に形成されるメッシュ部材は、上記材料の一例である。なお、整流器本体３１を構成する材料は、作動油Ｌが通過する際の抵抗が小さいものがよい。メッシュ部材は、作動油Ｌが通過する際の抵抗が小さいものが用いられている。内筒３２は、整流器本体３１の内側に設けられており、整流器本体３１を内側から支持している。内筒３２には、内筒３２の周壁を貫通する複数の連通孔３２ａが形成されている。
【００２５】
整流器用第１のプレート３３は、整流器本体３１の一端を支持している。整流器用第１のプレート３３は、整流器本体３１の一端の開口を閉塞している。整流器用第２のプレート３４は、整流器本体３１の他端を支持している。整流器用第２のプレート３４には、整流器本体３１の内側と連通する連通孔３５が形成されている。連通孔３５は、図中点線で示されている。
【００２６】
つぎに、整流器用ハウジング４０内での整流器３０の姿勢を説明する。図２に示すように、整流器３０は、周壁部３６が、整流器用ハウジング４０内に作動油Ｌを流入する流入口５０と作動油Ｌの流れる方向に対向するように配置されている。ここで言う作動油Ｌの流れる方向Ａとは、上流部分１２から流入口５０を通って整流器用ハウジング４０内に流入する作動油Ｌの流れる方向である。本実施形態では、作動油Ｌの流れる方向は、一例として、上流部分１２の軸心線Ｑの延びる方向である。流入口５０は、本発明で言う連通口の一例である。
【００２７】
図３に示すように、ハウジング本体４１の端部には、整流器３０の他端部を保持する保持用凹部４９が形成されている。整流器３０は、保持用凹部４９内に嵌合する。保持用凹部４９内に整流器３０が収容されることによって、整流器用ハウジング４０内での整流器３０の姿勢と位置とが固定され、保持される。流出口４４は、保持用凹部４９内に形成されている。整流器３０が保持用凹部４９内に収容されると、整流器用第２のプレート３４に形成される連通孔３５が流出口４４と連通する。このため、整流器本体３１の内側と流出口４４とが連通する。
【００２８】
蓋部材４２と整流器３０との間には、ばね部材６０が設けられている。ばね部材６０は、コイルばねである。蓋部材４２が開口４５を液密に閉塞する状態では、ばね部材６０は、蓋部材４２と整流器用第１のプレート３３との間で圧縮される。ばね部材６０が圧縮されることによって、整流器３０は、保持用凹部４９から出ないように付勢される。
【００２９】
図４に示すように、整流器３０は、その軸心線Ｙとハウジング本体４１の軸心線Ｘとが重なるように、ハウジング本体４１と同軸に配置されている。ハウジング本体４１と整流器３０との間には、作動油Ｌが流れることが可能な隙間Ｓ１が設けられている。
【００３０】
上流部分１２と整流器３０とを合わせて、本発明で言う整流器の取付構造の一例である整流器の取付構造８０が構成されている。上流部分１２は、本発明で言う第１の流路部の一例であり、整流器用ハウジング４０は、本発明で言う第２の流路部の一例である。
【００３１】
つぎに、整流器３０の動作を説明する。図２に示すように、油圧回路１０を循環する作動油Ｌは、流入口５０を通って整流器用ハウジング４０内に流入する。図４に示すように、流入口５０から整流器用ハウジング４０内に流入した作動油Ｌの一部は、整流器３０にぶつかり、整流器本体３１と内筒３２の連通孔３２ａとを通って、内筒３２の内側に出る。作動油Ｌの他の部分は、隙間Ｓ１を流れながらハウジング本体４１において流出口４４と反対側の位置Ｐ１に向かって流れる。このとき、作動油Ｌの他の部分は、隙間Ｓ１を位置Ｐ１に向かって流れる過程で、図中矢印で示すように整流器本体３１を外側から内側へ向かって通過する。作動油Ｌのほとんどは、位置Ｐ１に到達する前に整流器本体３１を通過して整流器本体３１の内側に出る。
【００３２】
作動油Ｌが整流器３０を通過することによって、作動油Ｌの流れは乱れることなく下流に向かって流れる。この点について具体的に説明する。油圧回路１０においてＬ字状に屈曲する部位がある場合、当該Ｌ字状の下流側の部分では作動油Ｌの流れが曲げられることに起因して流れに乱れが生じる。
【００３３】
図２，４を用いて説明すると、図２，４中に整流器３０がない場合では、流入口５０から流入した作動油Ｌは、位置Ｐ１に到達するととともに位置Ｐ１で反射されて様々な方向に流れる。このことによって、流れに乱れが生じる。
【００３４】
しかしながら、整流器３０があることによって、作動油Ｌは、位置Ｐ１に到達する前に整流器３０を通過するので、作動油Ｌにおいて整流器用ハウジング４０の内面にぶつかって反射するものが少なくなる。この結果、整流器用ハウジング４０内で作動油Ｌの流れに乱れが生じにくくなる。
【００３５】
このように、整流器の取付構造８０によって、作動油Ｌの流れが滞ることが抑制される。
【００３６】
また、整流器本体３１がプリーツ状に折りたたまれることによって、整流器本体３１における作動油Ｌの通過面積を大きくすることができる。通過面積が大きくなることによって、作動油Ｌの流れを緩やかにすることできる。作動油Ｌの流れが緩やかになることによって、整流器３０の整流作用を向上することができる。
【００３７】
なお、本実施形態では、整流器３０と整流器用ハウジング４０とを１つのユニットとして構成できる。すわなち、整流器用ハウジング４０に整流器３０を収めて１つのユニットとした後に、このユニットを油圧回路１０に組み込むことができる。
【００３８】
つぎに、本発明の第２の実施形態であるフィルタ装置を、図５〜８を用いて説明する。なお、第１の実施形態と同様の機能を有する構成は、第１の実施形態と同一の符号を付して説明を省略する。
【００３９】
図５は、フィルタ装置１１０を示す断面図である。図５に示すように、フィルタ装置１１０は、油圧回路１００中に設けられ、油圧回路１００の一部を構成している。図中、油圧回路１００においてフィルタ装置１１０の上流側の部分１０１を２点鎖線で示し、フィルタ装置１１０より下流の部分１０２を２点鎖線で示す。フィルタ装置１１０は、油圧回路１００内を流れる作動油Ｌを濾過する。なお、油圧回路１００は、第１の実施形態で説明された油圧回路１０と同じであってもよい。
【００４０】
図６は、フィルタ装置１１０が分解された状態を示す断面図である。図６に示すように、フィルタ装置１１０は、フィルタエレメント１２０と、フィルタエレメント１２０を収容するハウジング１３０と、整流器３０とを備えている。
【００４１】
フィルタエレメント１２０は、エレメント本体１２１と、内筒１２２と、フィルタ用第１，２のプレート１２３，１２４と、固定用プレート１２５とを備えている。フィルタエレメント１２０は、本発明で言うフィルタエレメントの一例である。
【００４２】
エレメント本体１２１は、作動油Ｌ中のごみなどの取り除くべき異物を捕集できる第１の濾材１２６で形成されており、筒状である。内筒１２２は、両端が開口する円筒状であり、エレメント本体１２１の内側に設けられている。内筒１２２は、エレメント本体１２１を内側から支持している。内筒１２２の周壁部１２２ａには、当該周壁部１２２ａを貫通する複数の連通孔１２２ｂが形成されている。
【００４３】
フィルタ用第１のプレート１２３は、エレメント本体１２１の一端を支持している。フィルタ用第１のプレート１２３は、エレメント本体１２１の内側と連通する連通孔１２３ａが形成されている。フィルタ用第２のプレート１２４は、エレメント本体１２１の他端を支持している。フィルタ用第２のプレート１２４は、エレメント本体１２１の他端の開口を液密に閉塞している。
【００４４】
内筒１２２の一端部は、第１プレート１２３の連通孔１２３ａを通って外側に出ている。固定用プレート１２５は、内筒１２２の一端部に固定されている。具体的には、固定用プレート１２５は、平面形状が円状であり、内側に内筒１２２の一端部が固定される連通孔１２５ａが形成されている。
【００４５】
ハウジング１３０は、ハウジング本体１３１と、ヘッド１４０とを備えている。ハウジング１３０は、本発明で言うハウジングの一例である。ハウジング本体１３１は、一端が開口し、他端が閉塞している筒状である。ハウジング本体１３１の一端の開口１３２は、平面形状が円であり、縁部１３３の内側には、雌ねじ１３４が形成されている。ハウジング本体１３１は、本発明で言うハウジング本体の一例である。
【００４６】
固定用プレート１２５の周縁部には、雄ねじ１２７が形成されている。図５に示すように、固定用プレート１２５の雄ねじ１２７は、ハウジング本体１３１の雌ねじ１３４に螺合する。雄ねじ１２７が雌ねじ１３４に最後まで螺合することによって、エレメント本体１２１がハウジング１３０内で位置決めされるとともに、その位置が固定される。
【００４７】
ヘッド１４０は、エレメント本体１２１に着脱可能に固定される。ヘッド１４０は、本発明で言うヘッドの一例である。図５に示すように、ヘッド１４０の周縁部１４１には、ハウジング本体１３１の雌ねじ１３４に螺合する雄ねじ１４２が形成されている。
【００４８】
ヘッド１４０は、雄ねじ１４２がハウジング本体１３１の雌ねじ１３４に螺合して固定された状態において、フィルタエレメント１２０の内側に嵌まる突出部１４３を有している。具体的には、突出部１４３は、固定用プレート１２５の連通孔１２５ａを通して、連通孔１２５ａと内筒１２２の内側とに嵌まっている。
【００４９】
ヘッド１４０内には、流路１５０が形成されている。流路１５０は、本発明で言う流路の一例である。流路１５０の一端は、突出部１４３の先端に開口しており、第１の流入口１５６を形成している。他端はヘッド１４０の側壁部１４４に開口しており、流出口１５５を形成している。流出口１５５は、第１のブッシング２１０を介して部分１０２に連結されており、部分１０２に作動油Ｌを導くことが可能に部分１０２に連通している。内筒１２２と流路１５０とは連通している。固定用プレート１２５の連通孔１２５ａの周縁部と突出部１４３との間に液漏れの発生を抑制するシール構造の一例として、Ｏリング１４５が設けられている
図５，６に示すように、流路１５０は、Ｌ字状に形成されており、第１の流路部１５３と、第２の流路部１５４とを有している。第１の流路部１５３は、突出部１４３に形成されており、突出部１４３にそって延びる直線状である。第１の流路部１５３は、本発明でいう第１の流路部の一例である。
【００５０】
第２の流路部１５４は、直線状であり、第１の流路部１５３と流出口１５５とを連通している。第２の流路部１５４は、本発明で言う第２の流路部の一例である。第２の流路部１５４の内面によって規定される作動油Ｌが流動する空間を、当該第２の流路部１５４が延びる方向に直交する方向に断面した断面形状は、例えば円である。
【００５１】
第２の流路部１５４が延びる方向は、第１の流路部１５３の延びる方向に対して交差している。それゆえ、流路１５０は、第１，２の流路部１５３，１５４によってＬ字状に形成されている。本実施形態では、第１の流路部１５３の延びる方向Ａは、第１の流路部１５３の軸心線Ｚの延びる方向である。第２の流路部１５４の延びる方向Ｂは、第２の流路部１５４の軸心線Ｖの延びる方向である。
【００５２】
ヘッド１４０において流出口１５５と反対側には、第２の流入口１６０が形成されている。第２の流入口１６０は、第２のブッシング２１１を介して部分１０１に連結されており、部分１０１から作動油Ｌを導入可能に部分１０１に連通している。ヘッド１４０には、第２の流入口１６０とハウジング本体１３１内とを連通する導入流路部１６１が形成されている。固定用プレート１２５には、導入流路部１６１と連通する連通孔１２５ｂが形成されている。
【００５３】
第２の流入口１６０から流入した作動油Ｌは、導入流路部１６１を通ってハウジング本体１３１内に流入する。ハウジング本体１３１内に流入した作動油Ｌは、エレメント本体１２１の周壁部を外側から内側へ向かって通過する。内筒１２２の連通孔１２２ｂを通って内側に出た作動油Ｌは、第１，２の流路部１５３，１５４を通って流出口１５５へ導かれる。
【００５４】
整流器３０は、第２の流路部１５４内に設けられている。整流器３０は、第１の実施形態の整流器３０と同じ構造であってよい。図７は、ヘッド１４０から整流器３０が分解された状態を示す断面図である。図８は、図６中に示されるＦ８−Ｆ８線に沿って示す、ヘッド１４０において第２の流路部１５４の近傍の断面図である。図８に示すように、整流器本体３１は、第２の濾材１７５をプリーツ状に折りたたんで円筒状に形成されている。第２の濾材１７５は、フィルタエレメント１２０の第１の濾材１２６よりも濾過精度が小さく、作動油Ｌが通過する際の抵抗が小さいものが用いられている。整流器用第１のプレート３３には、本実施形態では、整流器本体３１の内側に連通する連通孔３３ａが形成されている。
【００５５】
第２の流路部１５４内での整流器３０は、整流器本体３１の周壁部３６が第１の流路部１５３と第２の流路部１５４とを連通する連通口１５７と対向するように配置されている。具体的には、整流器３０の軸心線Ｙが第２の流路部１５４の軸心線Ｖと重なるように（同じとなるように）配置されており、第１の流路部１５３の軸心線Ｚにそって連通口１５７が周壁部１７６と対向する。
【００５６】
第２の流路部１５４において連通口１５７と対向する部位には、第２の流路部１５４の軸心線Ｖにそって突出する保持用突出部１５８が形成されている。保持用突出部１５８は、整流器用第２のプレート３４の連通孔３５に嵌まる。保持用突出部１５８が連通孔３５に嵌まることによって、第２の流路部１５４内での整流器３０の姿勢が固定される。保持用突出部１５８には、導入流路部１６１と第２の流路部１５４（本実施形態では、整流器３０の内側）とを連通するリリーフバルブ２００が形成されている。導入流路部１６１の圧力が所定圧力より大きくなると、リリーフバルブ２００が開き、導入流路部１６１と第２の流路部１５４とが連通する。
【００５７】
図８に示すように、第２の流路部１５４と整流器本体３１との間には、作動油Ｌが流動可能な隙間Ｓ２が形成されている。
【００５８】
第１のブッシング２１０は、第２の流路部１５４の延びる方向に整流器３０と当接可能な縁部２１２を有している。縁部２１２は、整流器３０が第２の流路部１５４から抜け出ることを防止する機能を有する。
【００５９】
つぎに、フィルタ装置１１０の動作を説明する。図５に示すように、濾過する前の作動油Ｌは、第２の流入口１６０からフィルタ装置１１０内に流入する。第２の流入口１６０から流入した作動油Ｌは、導入流路部１６１を通り、ハウジング本体１３１内に流入する。
【００６０】
ハウジング１３０内に流入した作動油Ｌは、フィルタエレメント１２０を外側から内側へ通過する。このとき、作動油Ｌ中のごみなどの異物は、フィルタエレメント１２０を構成する第１の濾材１２６によって捕集される。このことによって、作動油Ｌが濾過される。
【００６１】
濾過された作動油Ｌは、内筒１２２の連通孔１２２ｂを通って内筒１２２の内側に出る。内筒１２２の内側に出た作動油Ｌは、ヘッド１４０内の流路１５０内に流入する。図８に示すように、連通口１５７から第２の流路部１５４内に流入した作動油Ｌの一部は、整流器３０にぶつかり、そのまま整流器３０を通過し、整流器３０の内側に出る。作動油Ｌの他の部分は、隙間Ｓ２を流れながら第２の流路部１５４において連通口１５７と反対側の位置Ｐ２に向かって流れる。このとき、作動油Ｌの他の部分は、隙間Ｓ２を位置Ｐ２に向かって流れる過程で、図８中矢印で示すように整流器本体３１を外側から内側へ向かって通過する。作動油Ｌのほとんどは、位置Ｐ２に到達する前に整流器３０を通過して整流器３０の内側に出る。
【００６２】
作動油Ｌが整流器３０を通過することによって、第１の実施形態と同様に、作動油Ｌは流れが乱れることなく下流に向かって流れる。この点について具体的に説明する。作動油Ｌが第１の流路部１５３から第２の流路部１５４内へ流入する際、作動油Ｌの流れが曲げられることに起因して作動油Ｌの流れに乱れが生じる。整流器３０がない場合では、作動油Ｌは、位置Ｐ２に到達するととともに位置Ｐ２で反射されて様々な方向に流れる。このことによって、流れに乱れが生じる。
【００６３】
しかしながら、整流器３０があることによって、作動油Ｌは、位置Ｐ２に到達する前に整流器３０を通過するので、作動油Ｌにおいて第２の流路部１５４の内面にぶつかって反射するものが少なくなる。この結果、第２の流路部１５４内で作動油Ｌの流れに乱れが生じにくくなる。本実施形態では、第１の実施形態と同様の効果が得られる。
【００６４】
つぎに、本発明の第３の実施形態に係るフィルタ装置を、図９を用いて説明する。なお、第２の実施形態と同様の機能を有する構成は、第２の実施形態と同一の符号を付して説明を省略する。本実施形態では、フィルタ装置１１０内での作動油Ｌの流れが、第２の実施形態のフィルタ装置１１０内での作動油Ｌの流れに対して逆になる。作動油Ｌの流れが逆になることにともなって、整流器３０の配置などが異なる。
【００６５】
図９は、本実施形態のフィルタ装置１１０を示す断面図である。図９に示すように、本実施形態では、作動油Ｌは、フィルタエレメント１２０を内側から外側へ向かって通過する。本実施形態では、第２の実施形態に対して、第１の流路部１５３と第２の流路部１５４とが入れ替わる。また、突出部１４３の先端の第１の流入口１５６は、流路１５０からハウジング１３０への流入口として機能する。
【００６６】
第２の実施形態のフィルタ装置１１０の流出口１５５の位置に、本実施形態の第２の流入口１６０が設けされ、第２の流入口１６０から濾過される前の作動油Ｌが流入する。第２の実施形態のフィルタ装置１１０の第２の流入口１６０の位置に、本実施形態の流出口１５５が設けられる。導入流路部１６１は、フィルタエレメント１２０を内側から外側へ通過した作動油Ｌを、流出口１５５へ導く。
【００６７】
本実施形態では、濾過される前の作動油Ｌが整流器３０を通過する。このため、整流器３０の整流器本体３１を構成する第２の濾材１７５は、濾過する前の作動油Ｌ中に含まれるごみなども通過できる精度を有しており、作動油Ｌ中のごみなどを濾過することがないように考慮されている。
【００６８】
本実施形態では、第２の実施形態と同様の作用と効果とを得ることができる。
【００６９】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせてもよい。
【産業上の利用可能性】
【００７０】
本願発明は、例えば油圧回路やフィルタ装置に用いることができる。
【符号の説明】
【００７１】
１０…油圧回路（流路）、１２…上流部分（第１の流路部）、３０…整流器、３６…周壁部、４０…整流器用ハウジング（第２の流路部）、５０…流入口（連通口）、８０…整流器の取付構造、１１０…フィルタ装置、１２０…フィルタエレメント、１３０…ハウジング、１３１…ハウジング本体、１４０…ヘッド、１５０…流路、１５３…第１の流路部、１５４…第２の流路部、１５７…連通口、Ｌ…作動油（液）。
【図１】
2011220363.tif 000003
【図２】
2011220363.tif 000004
【図３】
2011220363.tif 000005
【図４】
2011220363.tif 000006
【図５】
2011220363.tif 000007
【図６】
2011220363.tif 000008
【図７】
2011220363.tif 000009
【図８】
2011220363.tif 000010
【図９】
2011220363.tif 000011